(57)【特許請求の範囲】
【請求項１】
複数の遊技店の夫々に備えられ、有価価値を有した記録媒体を使用して支払を行うことによって遊技を可能とする複数の遊技機と、記録媒体に記録された記録情報を管理する管理手段とを備える遊技管理システムにおいて、
前記管理手段は、
各遊技店にて使用可能な記録媒体に関する情報を記憶する第１記憶部と、
各遊技店にて使用が終了した記録媒体に関する情報を記憶する第２記憶部とを備えており、
記録媒体の使用終了要求が入力された場合、前記記録媒体の使用が終了したことを示す使用終了情報を第１記憶部に登録し、前記記録媒体に記録された記録情報を第２記憶部に登録することによって、前記記録媒体の使用を不可とし、
記録媒体の使用承認要求が入力された場合、前記記録媒体に記録された記録情報と第２記憶部に記憶された情報とが一致しているか否かを判別し、一致していると判別されたときに、前記記録媒体に記録された記録情報を第１記憶部に登録することによって、前記記録媒体の使用を可とすべくなしてあることを特徴とする遊技管理システム。
【請求項２】
前記管理手段は更に、
使用終了取消し要求が入力された場合、該記録媒体に記録された記録情報と第１記憶部に記憶された情報とが一致しているか否かを判別し、一致していると判別されたときに、第１記憶部に登録された使用終了情報を削除することによって、前記記録媒体の使用を可とすべくなしてあることを特徴とする請求項１記載の遊技管理システム。
【請求項３】
複数の遊技店の夫々に備えられ、有価価値を有した記録媒体を使用して支払を行うことによって遊技を可能とする複数の遊技機と、複数の遊技店の夫々に備えられ、記録媒体に記録された記録情報の読み書きを行い、該記録情報を送信する端末装置と、複数の遊技店の夫々に備えられ、前記端末装置から受信する前記記録情報を管理し、前記記録情報を送信する管理装置と、複数の前記管理装置から受信する前記記録情報を管理する中央管理装置とを、通信ネットワークにより接続してなる遊技管理システムにおいて、
前記端末装置は、
記録媒体の使用終了要求（又は使用承認要求）を受け付ける手段と、
前記使用終了要求（又は前記使用承認要求）を受け付けた場合、該使用終了要求（又は該使用承認要求）及び記録媒体に記録された記録情報を管理装置へ送信する手段とを備え、
前記管理装置は、
前記管理装置が設置されている遊技店にて使用可能な記録媒体に関する情報を記憶する第１記憶部と、
端末装置から使用終了要求及び記録媒体に記録された記録情報を受信した場合、該記録情報と第１記憶部に記憶された情報とが一致しているか否かを判別する手段と、
該判別する手段によって一致していると判別された場合、記録媒体の使用が終了したことを示す使用終了情報を第１記憶部に登録する手段と、
前記使用終了情報が登録されたことを示す登録完了情報を端末装置へ送信する手段と、
登録完了情報及び記録媒体に記録された記録情報を中央管理装置へ送信する手段と、
端末装置から使用承認要求及び記録媒体に記録された記録情報を受信した場合、受信した使用承認要求及び記録情報を中央管理装置へ送信する手段とを備え、  前記中央管理装置は、
管理装置から前記登録完了情報及び記録媒体に記録された記録情報を受信した場合、受信した記録媒体に記録された記録情報を記憶する第２記憶部と、
管理装置から使用承認要求及び記録媒体に記録された記録情報を受信した場合、該記録情報と第２記憶部に記憶された情報とが一致しているか否かを判別する手段と、
該判別する手段によって一致していると判別された場合、前記管理装置から受信した記録情報を管理装置へ送信する手段とを備え、
前記管理装置は更に、
中央管理装置から記録媒体に記録された記録情報を受信した場合、該記録情報を第１記憶部に登録する手段と、
記録媒体の使用が承認されたことを示す使用承認情報を端末装置へ送信する手段とを備え、
前記端末装置は更に、
管理装置から前記登録完了情報を受信した場合、前記端末装置が設置されている遊技店での使用を不可とする情報を記録媒体に書き込む手段と、
管理装置から使用承認情報を受信した場合、前記端末装置が設置されている遊技店での使用を可とする情報を記録媒体に書き込む手段とを
備えることを特徴とする遊技管理システム。
【請求項４】
前記端末装置は更に、
記録媒体の使用終了取消し要求を受け付ける手段と、
前記使用終了取消し要求を受け付けた場合、該使用終了取消し要求及び記録媒体に記録された記録情報を管理装置へ送信する手段とを備え、
前記管理装置は更に、
端末装置から使用終了取消し要求及び記録媒体に記録された記録情報を受信した場合、該記録情報と第１記憶部に記憶された情報とが一致しているか否かを判別する手段と、
該判別する手段によって一致していると判別された場合、第１記憶部に登録された使用終了情報を削除する手段と、
前記使用終了情報が削除されたことを示す登録削除情報を端末装置へ送信する手段とを備え、
前記端末装置は更に、
管理装置から登録削除情報を受信した場合、前記端末装置が設置されている遊技店での使用を可とする情報を記録媒体に書き込む手段を
備えることを特徴とする請求項３記載の遊技管理システム。
【請求項５】
複数の遊技店の夫々に備えられ、有価価値を有した記録媒体を使用して支払を行うことによって遊技を可能とする複数の遊技機と、複数の遊技店の夫々に備えられ、記録媒体に記録された記録情報の読み書きを行い、該記録情報を送信する端末装置と、複数の遊技店の夫々に備えられ、前記端末装置から受信する前記記録情報を管理し、前記記録情報を送信する管理装置と、複数の前記管理装置から受信する前記記録情報を管理する中央管理装置とを、通信ネットワークにより接続してなる遊技管理システムにおいて、
前記管理装置は、
不正な記録媒体を識別するための記録媒体識別子を記憶する第３記憶部と、
第３記憶部に記憶された記録媒体識別子を中央管理装置へ送信する手段とを備え、
前記中央管理装置は、
一の管理装置から受信した記録媒体識別子を、他の各管理装置夫々へ送信する手段を備え、
前記管理装置は更に、
前記管理装置が設置されている遊技店にて使用された記録媒体に関する情報を記憶する第４記憶部と、
中央管理装置から受信した記録媒体識別子が第４記憶部に記憶されているか否かを判別する手段と、
前記判別する手段によって、中央管理装置から受信した記録媒体識別子が第４記憶部に記憶されていると判別された場合、第３記憶部に記録されている該記録媒体識別子によって識別される記録媒体に関する情報を中央管理装置へ送信する手段とを
備えることを特徴とする遊技管理システム。
【請求項６】
複数の遊技店の夫々に備えられ、遊技機にて使用可能な有価価値を有した記録媒体に記録された記録情報を管理する管理装置において、
前記管理装置が設置されている遊技店にて使用可能な記録媒体に関する情報を記憶する記憶部を備え、
記録媒体の使用終了要求が入力された場合、前記記録媒体の使用が終了したことを示す使用終了情報を前記記憶部に登録することによって、前記記録媒体の使用を不可とし、
記録媒体の使用終了取消し要求が入力された場合、前記記憶部に登録された使用終了情報を削除することによって、前記記録媒体の使用を可とすべくなしてあることを特徴とする管理装置。
【発明の詳細な説明】
【０００１】
【発明の属する技術分野】
本発明は、例えばＩＣカード等の記録媒体を使用して遊技を行う場合に、記録媒体の使用の利便性を図ることができ、しかも記録媒体の不正使用の拡大を防止することができる遊技管理システム、及び記録媒体に記録された記録情報を管理する管理装置に関する。
【０００２】
【従来の技術】
従来から、磁気記録領域を備えた磁気カード等の記録媒体をプリペイドカードとして用いて金銭的な支払いを行うために、記録媒体に記録される情報を管理する遊技管理システムが実現されている。また磁気カードに比しさらに多くの情報を記録するために、半導体メモリを備えたＩＣカード等のプリペイドカードを用いた遊技管理システムも構築されるようになっている。
【０００３】
このような遊技管理システムの多くは、プリペイドカードの不正使用の拡大を防止するため、特定の遊技店でのみ使用可能なプリペイドカードであるハウスカードを採用している。
【０００４】
このようなハウスカードには、そのカードが使用できる遊技店を識別する店舗識別子（以下、店舗ＩＤという）がカード発行会社によって発行される際に記録される。そして、発行されたハウスカードは、そのカードに記録された店舗ＩＤによって識別される遊技店へ送付される。
【０００５】
ハウスカードを採用している遊技管理システムでは、そのハウスカードに記録された店舗ＩＤによって識別される遊技店でのみそのカードが使用できるようになっている。そして一度記録された店舗ＩＤは書き換えることができない。したがって、店舗ＩＤに示されている遊技店以外の遊技店ではそのカードを使用することができず、しかも店舗ＩＤを書き換えることができないため、プリペイドカードが偽造され不正使用された場合であっても、その不正行為が複数の遊技店に拡大することを防止することができる。
【０００６】
【発明が解決しようとする課題】
上述したように、このような遊技管理システムは、記録媒体の不正使用の拡大を防止するという点で優れているが、一方で、記録媒体を複数の遊技店にて共通して使用することができないため、利用者にとっては利便性が悪い等の問題があった。
【０００７】
また、複数の遊技店を経営している経営者にとっても、各遊技店毎に使用することができるプリペイドカードが異なるため、事務処理が煩雑になる等の問題があった。
【０００８】
さらに、カード発行会社にとっても、各遊技店毎に異なるプリペイドカードを発行しなければならないため、カード発行に要するコストが上昇する等の問題があった。
【０００９】
そこで、記録媒体を複数の遊技店にて共通して使用することができ、しかも不正使用の拡大を防止することができる遊技管理システムの実現が望まれている。
【００１０】
また、遊技管理システムの故障及び誤動作によって記録媒体の使用が不可能になる場合がある。さらに、例えばコピーにより同じカードＩＤの記録媒体が複数存在する場合に、不正に複製されたプリペイドカードが使用されたときは、正規の記録媒体であるにもかかわらず使用することができなくなることがある。このように、種々の原因によって記録媒体の使用が不可能になる場合があるが、その原因を解明するためには、その記録媒体がどの遊技店で発券されたか及びどの遊技店で使用されたか等、その記録媒体の履歴を追って調べるトレース作業が必要になる。
【００１１】
本発明は斯かる事情に鑑みてなされたものであり、各遊技店毎に、その遊技店において使用することが可能な記録媒体に関する情報を記憶し、さらに各記録媒体に記録された店舗ＩＤの書き換えを可能とすることによって、記録媒体を複数の遊技店にて共通して使用することができる遊技管理システム及び記録媒体に記録された記録情報を管理する管理装置を提供することを目的とする。
【００１２】
また本発明の他の目的は、記録媒体が使用不可能になった場合、各遊技店毎に記憶されている、その遊技店において使用することが可能な記録媒体に関する情報を用いて、記録媒体の履歴のトレース作業を行うことができる遊技管理システム及び管理装置の提供にある。
【００１３】
【課題を解決するための手段】
第１発明に係る遊技管理システムは、複数の遊技店の夫々に備えられ、有価価値を有した記録媒体を使用して支払を行うことによって遊技を可能とする複数の遊技機と、記録媒体に記録された記録情報を管理する管理手段とを備える遊技管理システムにおいて、前記管理手段は、各遊技店にて使用可能な記録媒体に関する情報を記憶する第１記憶部と、各遊技店にて使用が終了した記録媒体に関する情報を記憶する第２記憶部とを備えており、記録媒体の使用終了要求が入力された場合、前記記録媒体の使用が終了したことを示す使用終了情報を第１記憶部に登録し、前記記録媒体に記録された記録情報を第２記憶部に登録することによって、前記記録媒体の使用を不可とし、記録媒体の使用承認要求が入力された場合、前記記録媒体に記録された記録情報と第２記憶部に記憶された情報とが一致しているか否かを判別し、一致していると判別されたときに、前記記録媒体に記録された記録情報を第１記憶部に登録することによって、前記記録媒体の使用を可とすべくなしてあることを特徴とする。
【００１４】
第１発明による場合、管理手段は、各遊技店において使用することができる記録媒体に関する情報を記憶する第１記憶部と、各遊技店において使用が終了している記録媒体に関する情報を記憶する第２記憶部とを有している。この管理手段は、記録媒体の使用を終了する要求が入力された場合、その記録媒体の使用が終了したことを示す情報を第１記憶部に登録し、さらにその記録媒体に記録された記録情報を第２記憶部に登録する。その結果、その記録媒体を使用することができなくなる。
【００１５】
また、管理手段は、記録媒体の使用を承認する要求を検出した場合、その記録媒体に記録された記録情報と第２記憶部に記憶された情報との比較を行う。ここでこれらの情報が一致している場合、前記記録情報を第１記憶部に記憶する。その結果、その記録媒体を使用することができるようになる。
【００１６】
上述したように、ある遊技店にて使用した記録媒体を他の遊技店においても利用したい場合に、管理手段は、その記録媒体の使用の終了要求の入力を利用者から受け付ける。ここでその要求が認められた場合、その遊技店においてその記録媒体の使用ができなくなる。そして利用者が他の遊技店に入店した際、管理手段は、その記録媒体の使用の承認要求の入力を利用者から受け付ける。ここでその要求が認められた場合、その入店した遊技店においてその記録媒体を使用することができる。このようにして利用者はプリペイドカードを複数の遊技店にて共通して利用することができ、プリペイドカードの利便性を向上することができる。
【００１７】
また、利用者がその記録媒体の使用承認を要求した場合、その要求が認められない場合は使用することができない。したがって不正行為の拡大を防止することができる。
【００１８】
また、各遊技店では共通のプリペイドカードが使用されるため、複数の遊技店を経営している経営者にとっては、事務処理の円滑化を図ることができる。さらに利便性の向上のためにプリペイドカードの利用者が増大することによって高収益を得ることができる。
【００１９】
第２発明に係る遊技管理システムは、第１発明に係る遊技管理システムにおいて、前記管理手段は更に、使用終了取消し要求が入力された場合、該記録媒体に記録された記録情報と第１記憶部に記憶された情報とが一致しているか否かを判別し、一致していると判別されたときに、第１記憶部に登録された使用終了情報を削除することによって、前記記録媒体の使用を可とすべくなしてあることを特徴とする。
【００２０】
第２発明による場合、管理手段は、記録媒体の使用の終了を取り消す要求が入力された場合、その記録媒体に記録された記録情報と、記憶部に記憶された各遊技店において使用することが可能な記録媒体に関する情報との比較を行う。ここでこれらの情報が一致している場合、使用が終了したことを示す情報を記憶部から削除する。その結果、その記録媒体を使用することができるようになる。
【００２１】
上述したように、利用者が、その遊技店での記録媒体の使用を終了させたが、その後気が変わってその遊技店にて同一の記録媒体を使用したい場合、管理手段が記憶している記録媒体に関する情報から、使用終了したことを示す情報を削除することによって、その遊技店での使用を再び可とすることができる。
【００２５】
第３発明に係る遊技管理システムは、複数の遊技店の夫々に備えられ、有価価値を有した記録媒体を使用して支払を行うことによって遊技を可能とする複数の遊技機と、複数の遊技店の夫々に備えられ、記録媒体に記録された記録情報の読み書きを行い、該記録情報を送信する端末装置と、複数の遊技店の夫々に備えられ、前記端末装置から受信する前記記録情報を管理し、前記記録情報を送信する管理装置と、複数の前記管理装置から受信する前記記録情報を管理する中央管理装置とを、通信ネットワークにより接続してなる遊技管理システムにおいて、前記端末装置は、記録媒体の使用終了要求（又は使用承認要求）を受け付ける手段と、前記使用終了要求（又は前記使用承認要求）を受け付けた場合、該使用終了要求（又は該使用承認要求）及び記録媒体に記録された記録情報を管理装置へ送信する手段とを備え、前記管理装置は、前記管理装置が設置されている遊技店にて使用可能な記録媒体に関する情報を記憶する第１記憶部と、端末装置から使用終了要求及び記録媒体に記録された記録情報を受信した場合、該記録情報と第１記憶部に記憶された情報とが一致しているか否かを判別する手段と、該判別する手段によって一致していると判別された場合、記録媒体の使用が終了したことを示す使用終了情報を第１記憶部に登録する手段と、前記使用終了情報が登録されたことを示す登録完了情報を端末装置へ送信する手段と、登録完了情報及び記録媒体に記録された記録情報を中央管理装置へ送信する手段と、端末装置から使用承認要求及び記録媒体に記録された記録情報を受信した場合、受信した使用承認要求及び記録情報を中央管理装置へ送信する手段とを備え、前記中央管理装置は、管理装置から前記登録完了情報及び記録媒体に記録された記録情報を受信した場合、受信した記録媒体に記録された記録情報を記憶する第２記憶部と、管理装置から使用承認要求及び記録媒体に記録された記録情報を受信した場合、該記録情報と第２記憶部に記憶された情報とが一致しているか否かを判別する手段と、該判別する手段によって一致していると判別された場合、前記管理装置から受信した記録情報を管理装置へ送信する手段とを備え、前記管理装置は更に、中央管理装置から記録媒体に記録された記録情報を受信した場合、該記録情報を第１記憶部に登録する手段と、記録媒体の使用が承認されたことを示す使用承認情報を端末装置へ送信する手段とを備え、前記端末装置は更に、管理装置から前記登録完了情報を受信した場合、前記端末装置が設置されている遊技店での使用を不可とする情報を記録媒体に書き込む手段と、管理装置から使用承認情報を受信した場合、前記端末装置が設置されている遊技店での使用を可とする情報を記録媒体に書き込む手段とを備えることを特徴とする。
【００２６】
第４発明に係る遊技管理システムは、第３発明に係る遊技管理システムにおいて、前記端末装置は更に、記録媒体の使用終了取消し要求を受け付ける手段と、前記使用終了取消し要求を受け付けた場合、該使用終了取消し要求及び記録媒体に記録された記録情報を管理装置へ送信する手段とを備え、前記管理装置は更に、端末装置から使用終了取消し要求及び記録媒体に記録された記録情報を受信した場合、該記録情報と第１記憶部に記憶された情報とが一致しているか否かを判別する手段と、該判別する手段によって一致していると判別された場合、第１記憶部に登録された使用終了情報を削除する手段と、前記使用終了情報が削除されたことを示す登録削除情報を端末装置へ送信する手段とを備え、前記端末装置は更に、管理装置から登録削除情報を受信した場合、前記端末装置が設置されている遊技店での使用を可とする情報を記録媒体に書き込む手段を備えることを特徴とする。
【００２７】
第５発明に係る遊技管理システムは、複数の遊技店の夫々に備えられ、有価価値を有した記録媒体を使用して支払を行うことによって遊技を可能とする複数の遊技機と、複数の遊技店の夫々に備えられ、記録媒体に記録された記録情報の読み書きを行い、該記録情報を送信する端末装置と、複数の遊技店の夫々に備えられ、前記端末装置から受信する前記記録情報を管理し、前記記録情報を送信する管理装置と、複数の前記管理装置から受信する前記記録情報を管理する中央管理装置とを、通信ネットワークにより接続してなる遊技管理システムにおいて、前記管理装置は、不正な記録媒体を識別するための記録媒体識別子を記憶する第３記憶部と、第３記憶部に記憶された記録媒体識別子を中央管理装置へ送信する手段とを備え、前記中央管理装置は、一の管理装置から受信した記録媒体識別子を、他の各管理装置夫々へ送信する手段を備え、前記管理装置は更に、前記管理装置が設置されている遊技店にて使用された記録媒体に関する情報を記憶する第４記憶部と、中央管理装置から受信した記録媒体識別子が第４記憶部に記憶されているか否かを判別する手段と、前記判別する手段によって、中央管理装置から受信した記録媒体識別子が第４記憶部に記憶されていると判別された場合、第３記憶部に記録されている該記録媒体識別子によって識別される記録媒体に関する情報を中央管理装置へ送信する手段とを備えることを特徴とする。
【００２８】
第６発明に係る管理装置は、複数の遊技店の夫々に備えられ、遊技機にて使用可能な有価価値を有した記録媒体に記録された記録情報を管理する管理装置において、前記管理装置が設置されている遊技店にて使用可能な記録媒体に関する情報を記憶する記憶部を備え、記録媒体の使用終了要求が入力された場合、前記記録媒体の使用が終了したことを示す使用終了情報を前記記憶部に登録することによって、前記記録媒体の使用を不可とし、記録媒体の使用終了取消し要求が入力された場合、前記記憶部に登録された使用終了情報を削除することによって、前記記録媒体の使用を可とすべくなしてあることを特徴とする。
【００２９】
第３発明による場合、端末装置が特定の遊技店における記録媒体の使用を終了する要求を受け付けたとき、その要求をその記録媒体に記録された記録情報と共に、管理装置へ送信する。管理装置は、その管理装置を備えている遊技店において使用することが可能な記録媒体に関する情報を記憶する第１記憶部を有しており、端末装置から前記要求及び記録情報を受信した場合、その記録情報と第１記憶部に記憶されている情報との比較を行い、これらの情報が一致したときに使用が終了したことを示す情報を第１記憶部に登録する。また管理装置は、前記情報を登録したことを示す情報を端末装置へ送信するとともに、中央管理装置へ前記登録したことを示す情報及び記録媒体に記録された記録情報を送信する。端末装置は、管理装置によって使用を終了することが認められた場合に、その遊技店における使用を不可とする情報を記録媒体に書き込む。そして中央管理装置は管理装置から受信した記録情報を第２記憶部に記憶する。
【００３０】
また、端末装置が特定の遊技店における記録媒体の使用承認の要求を受け付けたとき、その要求をその記録媒体に記録された記録情報と共に、管理装置へ送信する。管理装置は、中央管理装置へその記録情報を送信する。中央管理装置は受信した記録情報と第２記憶部に記憶している情報との比較を行い、これらの情報が一致したときにその記録情報を管理装置へ送信する。管理装置は中央管理装置から受信した記録情報を第１記憶部へ記憶し、使用承認の要求が認められたことを示す情報を端末装置へ送信する。そして前記承認されたことを示す情報を受信した端末装置は、その遊技店における使用を可とする情報を記録媒体に書き込む。
【００３１】
上述したように、ある遊技店にて使用した記録媒体を他の遊技店においても利用したい場合、利用者は使用を終了させたい遊技店に設置されている端末装置に記録媒体を挿入し、その記録媒体の使用の終了を要求する。ここでその要求が認められた場合、その遊技店においてその記録媒体の使用ができなくなる。そして利用者が他の遊技店に入店した際、その入店した遊技店に設置されている端末装置に記録媒体を挿入し、その記録媒体の使用の承認を要求する。ここでその要求が認められた場合、その入店した遊技店においてその記録媒体を使用することができる。このようにして利用者はプリペイドカードを複数の遊技店にて共通して利用することができ、プリペイドカードの利便性を向上することができる。
【００３２】
また、利用者がその記録媒体の使用承認を要求した場合であって、その要求が認められないときは使用することができないので、不正行為の拡大を防止することができる。
【００３３】
また、各遊技店では共通のプリペイドカードが使用されるため、複数の遊技店を経営している経営者にとっては、事務処理の円滑化を図ることができる。さらに利便性の向上のためにプリペイドカードの利用者が増大することによって高収益を得ることができる。
【００３４】
第４及び第６発明による場合、端末装置が記録媒体の使用の終了を取消し要求を受け付けたとき、その要求をその記録媒体に記録された記録情報と共に、管理装置へ送信する。管理装置は、その管理装置を備えている遊技店において使用することが可能な記録媒体に関する情報を記憶する記憶部を有しており、端末装置から前記要求及び記録情報を受信した場合、その記録情報と記憶部に記憶されている情報との比較を行い、これらの情報が一致したときに使用が終了したことを示す情報を記憶部から削除する。また管理装置は、使用終了の取消し要求を承認したことを示す情報を端末装置へ送信する。端末装置は、管理装置によって使用終了の取消しが承認された場合に、その遊技店における使用を可とする情報を記録媒体に書き込む。
【００３５】
上述したように、第４及び第６発明に係る遊技管理システムでは、利用者が、その遊技店での記録媒体の使用を終了させたが、その後気が変わってその遊技店にて同一の記録媒体を使用したい場合、管理装置が記憶している記録媒体に関する情報から、使用終了したことを示す情報を削除することによって、その遊技店での使用を再び可とすることができる。
【００３６】
第５発明による場合、管理装置は、不正な記録媒体を識別するための記録媒体識別子を記憶する第１記憶部と、その管理装置が設置されている遊技店において使用された記録媒体に関する情報を記憶する第２記憶部とを有している。そして管理装置は第１記憶部に記憶されている記録媒体識別子を中央管理装置へ送信する。また中央管理装置は、ある管理装置から記録媒体識別子を受信した場合、この管理装置以外の管理装置へ受信した記録媒体識別子を送信する。さらに管理装置は、中央管理装置から記録媒体識別子を受信した場合、この記録媒体識別子によって識別される記録媒体に関する情報が第２記憶部に記憶されているか否かを調べる。ここで記憶されている場合、その情報を中央管理装置へ送信する。
【００３７】
上述したように、各管理装置が記憶している記録媒体に関する情報から、不正な記録媒体に関する情報を抽出することによって、その不正な記録媒体の各遊技店における使用履歴を取得することができる。そのため、この使用履歴を用いてトレース作業を行うことが可能となり、その記録媒体がなぜ不正とされたのか等の原因の解明に役立てることができる。
【００３８】
【発明の実施の形態】
以下、本発明をその実施の形態を示す図面に基づいて詳述する。
本発明の遊技管理システムは、例えば、パチンコ台及びスロットマシン等の遊技機を備えた遊技店用の決済システムである。また、このシステムにおいて使用される記録媒体は、半導体メモリを備えたＩＣカード等のプリペイドカードであり、そのプリペイドカードに関する情報（以下、カード情報という）を記録している。
【００３９】
図１は、本発明の遊技管理システムの構成を示すブロック図である。図１において、１はカード発行会社を示しており、該カード発行会社１には中央管理装置１１が備えられている。該中央管理装置１１はパチンコ店等の遊技店２，２…毎に備えられている管理装置２１，２１…と接続されており、管理装置２１，２１…との間で、カード情報の送受信を行う。
【００４０】
各遊技店２，２…に備えられている管理装置２１，２１…は、利用者がプリペイドカードを購入するために用いられる発券機２２，２２…とも接続されており、この発券機２２，２２…との間で、カード情報の送受信を行う。発券機２２，２２…は、管理装置２１，２１…から受信した情報に基づいて、プリペイドカードの発券を行う。
【００４１】
また、管理装置２１，２１…は、２台のパチンコ台又はスロットマシン等の遊技機２４，２４…の間に備えられ、カード情報の読み取り及び書き込み等を行う台間機２５，２５…とも接続されており、この台間機２５，２５…との間で、カード情報の送受信を行う。台間機２５，２５…は、管理装置２１，２１…から受信した情報に基づいて、パチンコ玉又はメダル等の遊技媒体の排出指示命令を遊技機２４，２４…へ送り、これを受けた遊技機２４，２４…は遊技媒体を排出する。
【００４２】
さらに、管理装置２１，２１…は、後述する共通化登録処理、共通化取消し処理及び共通化受付処理の際にカード情報の読み取り及び書き込み等を行う共通化登録受付機２３，２３…とも接続されており、この共通化登録受付機２３，２３…との間で、カード情報の送受信を行う。
【００４３】
なお、中央管理装置１１が管理装置２１，２１…の機能を兼ねることも可能である。この場合、各遊技店の発券機２２，２２…、台間機２５，２５…、及び共通化登録受付機２３，２３…は中央管理装置１１との間でカード情報の送受信を行う。
【００４４】
また図１において、Ｃはプリペイドカードを示しており、該プリペイドカードＣは、カード情報を記録するための記録領域１００を有している。
記録領域１００に記録されるカード情報には、プリペイドカードＣを識別するためのカード識別子（以下、カードＩＤという），プリペイドカードＣが発券された遊技店２，２…を識別するための発券店識別子（以下、発券店ＩＤという），プリペイドカードＣが発券した年月日を示す発券日，及びプリペイドカードＣが使用できる遊技店２，２…を識別するための使用店識別子（以下、使用店ＩＤという）等の情報が含まれる。またカード情報にはプリペイドカードＣが使用できる金額を示す残高も含まれており、この残高は各カードＩＤ毎に各遊技店２，２…に備えられている管理装置２１，２１…によって管理されている。
なお、プリペイドカードＣの記録領域１００にはカードＩＤのみを記録しておき、それ以外のカード情報は管理装置２１，２１…及び中央管理装置１１の両装置が、又はその何れかの装置のみが記憶し、管理するようにしてもよい。
【００４５】
このようなプリペイドカードＣは、カード発行会社１からの依頼に基づいてカード製造業者によって製造されたものであり、この製造の際に、上述したカードＩＤが記録領域１００に記録される。
【００４６】
カード発行会社１は、取引契約を結んでいる遊技店２，２…へプリペイドカードＣを配送する。またカード発行会社１は、中央管理装置１１にて、配送先である遊技店２，２…と配送されたプリペイドカードＣのカードＩＤとを対応付けた情報を有しており、各遊技店２，２…のその情報を各遊技店２，２…に備えられている管理装置２１，２１…夫々に送信する。
【００４７】
プリペイドカードＣの発券の際、発券機２２，２２…は発券対象のプリペイドカードＣの記録領域１００に記録された発券店ＩＤがその発券機２２，２２…が設置されている遊技店２，２…であることを確認する。また管理装置２１，２１…は、発券対象のプリペイドカードＣの記録領域１００に記録されたカードＩＤと前記情報中のカードＩＤとを突き合わせ、カード発行会社１から配送されたプリペイドカードＣであることを確認する。そしてこれらの確認ができた場合、発券機２，２…は、記録領域１００に発券日等の情報を書き込み、プリペイドカードＣを発券する。
【００４８】
利用者はこのようにして発券されたプリペイドカードＣを、その発券店において使用することによって遊技機２４，２４…にて遊技を行うことができる。ここで残高を残した状態で遊技を終了した場合であって、そのプリペイドカードＣを他の遊技店２，２…において使用したいときは、利用者は共通化登録受付機２３，２３…を用いて後述する共通化登録を行う。そして他の遊技店２，２…にて同じく共通化登録受付機２３，２３…を用いて後述する共通化受付を行うことによって、その遊技店２，２…においてプリペイドカードＣを使用することができる。
【００４９】
図２は、本発明の中央管理装置１１の構成を示すブロック図である。図２において、２０１はＣＰＵを示しており、該ＣＰＵ２０１には、管理装置２１，２１…との通信を行うための通信インタフェース２０２と、ＣＰＵ２０１において発生するデータを記憶する記憶部２０３とが接続されている。
【００５０】
記憶部２０３は、管理装置２１，２１…から受信した共通化登録処理済みのプリペイドカードＣに関する情報を記憶する共通化登録ＤＢ２１０を有している。ここで、共通化登録処理とは、ある遊技店２にてプリペイドカードＣに残高がある状態で遊技を終了した場合に、そのカードを他の遊技店２，２…において使用することができるようにするために、使用店ＩＤを特定の遊技店２ではなくすべての遊技店２，２…を示すＩＤに更新する処理である。以下、このような共通化登録処理が行われたプリペイドカードＣを共通化登録カードという。
【００５１】
また記憶部２０３は更に、管理装置２１，２１…から受信したプリペイドカードＣの発券及び消費に関する決済情報を記憶する決済ＤＢ２１１と、プリペイドカードＣとその配送先の遊技店２，２…との対応付けに関する情報（以下、配送情報という）を記憶する配送ＤＢ２１２とを有している。
【００５２】
図３は、本発明の管理装置２１，２１…の構成を示すブロック図である。図３において、３０１はＣＰＵを示しており、該ＣＰＵ３０１には、中央管理装置１１、発券機２２，２２…、台間機２５，２５…及び共通化登録受付機２３，２３…との通信を行うための通信インタフェース３０２と、ＣＰＵ３０１において発生するデータを記憶する記憶部３０３とが接続されている。また記憶部３０３は、以下に説明する５つのデータベースを有している。
【００５３】
第１のデータベースである使用中ＤＢ３１０（請求項１及び請求項４における第１記憶部並びに請求項３及び請求項６における第４記憶部）は、管理装置２１，２１…が設置されている遊技店２において使用することが可能であるプリペイドカードＣのカード情報を記憶する。したがってこの使用中ＤＢ３１０に記憶されていないプリペイドカードＣは、その遊技店２において使用することができない。
【００５４】
第２のデータベースである共通化登録ＤＢ３１１（請求項１における第２記憶部）は、共通化登録カードのカード情報を記憶する。
【００５５】
第３のデータベースである決済ＤＢ３１２は、発券機２２，２２…から受信したプリペイドカードＣの発券に関する情報、及び台間機２５，２５…から受信したプリペイドカードＣの消費に関する情報を記憶する。この発券及び消費に関する決済情報は、中央管理装置１１へ送信され、中央管理装置１１の決済ＤＢ２１１に記憶される。
【００５６】
第４のデータベースである配送ＤＢ３１３は、中央管理装置１１から受信した配送情報を記憶する。この配送情報を参照することにより、カード発行会社１が発行して配送したプリペイドカードＣであるか否かを判別することができる。
【００５７】
第５のデータベースである不正情報ＤＢ３１４（請求項５における第３記憶部）は、不正カードのカードＩＤを記憶する。この不正情報ＤＢ３１４には、管理装置２１，２１…が設置されている遊技店２で不正であると判断したプリペイドカードＣのカードＩＤのみならず、他の遊技店２，２…にて不正であると判断されたプリペイドカードＣのカードＩＤも記憶している。
【００５８】
図４は、本発明の遊技管理システムに用いられる発券機２２，２２…の構成を示すブロック図である。図４において、４０１はＣＰＵを示しており、該ＣＰＵ４０１には、発券するプリペイドカードＣの記録領域１００に記録された記録情報の読み取り及び書き込み処理を行うカード処理部４０２と、利用者からのプリペイドカードＣの購入要求及び金銭を受け付ける入力部４０３と、発券結果等の情報を表示する出力部４０４と、管理装置２１，２１…との通信を行うための通信インタフェース４０５と、ＣＰＵ４０１で発生するデータを記憶する記憶部４０６とが接続されている。
【００５９】
発券機２２，２２…には、カード発行会社１から配送されたプリペイドカードＣが複数枚収納されている。そして発券機２２，２２…は、プリペイドカードＣの購入要求及びその要求に応じた金銭を入力部４０３にて受け付けた場合、収納されている複数枚のプリペイドカードＣから１枚のプリペイドカードＣを取り出し、このプリペイドカードＣのカード情報をカード処理部４０２にて読み取り、発券店ＩＤがその発券機２２，２２…が設置されている遊技店２，２…であるか否かを判別する。また、発券機２２，２２…は、そのプリペイドカードＣのカード情報を通信インタフェース４０５を介して管理装置２１，２１…へ送信する。管理装置２１，２１…は配送ＤＢ３１３を参照することによってカード発行会社１から発行されたものであるか否かを判別し、その結果を発券機２２，２２…へ送信する。発券機２２，２２…及び管理装置２１，２１…の両装置による判別の結果、正規なカードであると判別できた場合に、発券機２２，２２…によってそのプリペイドカードＣの記録領域１００に発券日等の情報が記録され、利用者に渡される。
【００６０】
図５は、本発明の遊技管理システムに用いられる台間機２５，２５…の構成を示すブロック図である。図５において、５０１はＣＰＵを示しており、該ＣＰＵ５０１には、挿入されたプリペイドカードＣの記録領域１００に記録された記録情報の読み取り及び書き込み処理を行うカード処理部５０２と、利用者からパチンコ玉の貸出量を受け付ける入力部５０３と、利用者の要求が承認されたか否かを示す情報を表示する出力部５０４と、管理装置２１，２１…との通信を行うための通信インタフェース５０５と、ＣＰＵ５０１で発生するデータを記憶する記憶部５０６とが接続されている。
【００６１】
台間機２５，２５…は、挿入されたプリペイドカードＣの記録情報をカード処理部５０２にて読み取り、読み取った記録情報を通信インタフェース５０５を介して管理装置２１，２１…へ送信する。管理装置２１，２１…は不正カードであるか否か及び残高が残っているか否か等を判別し、その判別結果を台間機２５，２５…へ送信する。通信インタフェース５０５を介して管理装置２１，２１…から受信した判別結果に応じて、台間機２５，２５…は、出力部５０４にてプリペイドカードＣの残高を示す度数又はエラーの何れかを表示する。ここでプリペイドカードＣの度数が表示された場合、すなわち残高が残っている場合は、遊技媒体の排出指示命令を遊技機２４，２４…へ送る。これを受けた遊技機２４，２４…は所定数の遊技媒体を排出する。
なお、本実施の形態では、共通化登録受付機２３，２３…と台間機２５，２５…とを別の装置としているが、台間機２５，２５…が共通化登録受付機２３，２３…の機能を兼ねてもよい。
【００６２】
図６は、本発明の共通化登録受付機２３，２３…の構成を示すブロック図である。図６において、６０１はＣＰＵを示しており、該ＣＰＵ６０１には、挿入されたプリペイドカードＣの記録領域１００に記録された記録情報の読み取り及び書き込み処理を行うカード処理部６０２と、利用者からの入力を受け付ける入力部６０３と、認証結果を示す情報等を表示する出力部６０４と、管理装置２１，２１…との通信を行うための通信インタフェース６０５と、ＣＰＵ６０１で発生するデータを記憶する記憶部６０６とが接続されている。
【００６３】
共通化登録受付機２３，２３…は、後述する共通化登録処理，共通化取消し処理及び共通化受付処理の際に、利用者から挿入されたプリペイドカードＣの記録情報をカード処理部６０２にて読み取り、読み取った情報を通信インタフェース６０５を介して管理装置２１，２１…へ送信する。また、共通化登録受付機２３，２３…は、通信インタフェース６０５を介して管理装置２１，２１…から受信した情報に基づき、カード処理部６０２にてプリペイドカードＣの記録領域１００に記録情報の書き込みを行う。
【００６４】
以下、本発明の遊技管理システムの動作について図面を参照して詳述する。
本発明の遊技管理システムは、プリペイドカードＣを複数の遊技店にて共通して使用できるように動作するシステムであり、そのために次に示す３つの処理を実行する。
【００６５】
（１）共通化登録処理
共通化登録処理とは、前述したように、ある遊技店２にてプリペイドカードＣに残高がある状態で遊技を終了した場合、そのカードを他の遊技店２，２…において使用することができるようにするために、使用店ＩＤを特定の遊技店２ではなくすべての遊技店２，２…を示すＩＤに更新する処理である。
【００６６】
（２）共通化受付処理
共通化受付処理とは、共通化登録処理をした翌日以降に、その処理を行った遊技店２又はその他の遊技店２，２…において共通化登録カードを使用できるようにするための処理である。
【００６７】
（３）共通化取消し処理
共通化取消し処理とは、共通化登録処理をした当日に、その処理を行った遊技店２にてその共通化登録カードを使用できるようにするための処理である。
【００６８】
次に、これら３つの処理を含め、本発明の遊技管理システムが行う処理の処理手順について具体的に説明する。
【００６９】
図７は、本発明の遊技管理システムの発券処理の処理手順を示すフローチャートである。
発券機２２，２２…は、利用者からプリペイドカードＣの購入要求及びその要求に応じた金銭を入力部４０３が受け付けた場合（Ｓ１０１）、発券対象となるプリペイドカードＣのカード情報をカード処理部４０２にて読み取り（Ｓ１０２）、発券店ＩＤが発券機２２，２２…の設置店を示しているか否かを判別する（Ｓ１０３）。ここで発券店ＩＤが前記設置店を示していない場合（Ｓ１０３でＮＯ）、そのプリペイドカードＣを廃棄し（Ｓ１１２）、ステップＳ１０２へ戻る。また、発券店ＩＤが前記設置店を示している場合（Ｓ１０３でＹＥＳ）、発券機２２，２２…は、そのプリペイドカードＣのカード情報を管理装置２１，２１…へ送信する（Ｓ１０４）。管理装置２１，２１…は受信したカード情報からカードＩＤを参照し、そのカードＩＤをキーとして配送ＤＢ３１３を検索する（Ｓ１０５）。
【００７０】
ステップＳ１０５の検索に失敗した場合（Ｓ１０５で失敗）、カード発行会社１から発行されたカードではないことを示す情報を発券機２２，２２…へ送信する（Ｓ１１１）。その情報を受信した発券機２２，２２…はそのプリペイドカードＣを廃棄し（Ｓ１１２）、ステップＳ１０２へ戻る。一方ステップＳ１０５の検索に成功した場合（Ｓ１０５で成功）、管理装置２１，２１…は、カード発行会社１から配送されたカードあることを示す情報を発券機２２，２２…へ送信する（Ｓ１０６）。その情報を受信した発券機２２，２２…は、発券対象のプリペイドカードＣが正規なカードであると判断し、使用店ＩＤに発券機２２，２２…の設置店のＩＤを書き込み（Ｓ１０７）、そのカードを排出する（Ｓ１０８）。また発券機２２，２２…は、発券したことを示す情報を発券されたプリペイドカードＣのカード情報とともに、管理装置２１，２１…へ送信する（Ｓ１０９）。
【００７１】
管理装置２１，２１…は、ステップＳ１０９において送信された情報を受信した場合、使用中ＤＢ３１０に発券されたプリペイドカードＣのカード情報を登録する（Ｓ１１０）。
【００７２】
以上の処理の結果、利用者は発券店である遊技店２において発券されたプリペイドカードＣを使用することができる。
【００７３】
次に、このようにして発券されたプリペイドカードＣが、共通化登録受付機２３，２３…に挿入された場合の本発明の遊技管理システムの動作について図８乃至図１１を参照して説明する。
【００７４】
図８は、プリペイドカードＣが共通化登録受付機２３，２３…に挿入された場合の、本発明の遊技管理システムの処理手順を示すフローチャートである。
共通化登録受付機２３，２３…は、プリペイドカードＣが挿入された場合、カード処理部６０２にてカード情報の読み取りを行う（Ｓ２０１）。ここで読み取りができない場合（Ｓ２０１でＮＯ）、出力部６０４にて「お取扱いできません」等のメッセージを出力し（Ｓ２０５）、プリペイドカードＣを排出する（Ｓ２１１）。またカード情報の読み取りに成功した場合（Ｓ２０１でＹＥＳ）、不正カードであるか否かを判別する（Ｓ２０２）。この判別のために、例えば残高がプリペイドカードＣの額面金額以下であるか否か等を確認する。
【００７５】
ステップＳ２０２において不正カードであると判別された場合（Ｓ２０２でＹＥＳ）、共通化登録受付機２３，２３…は管理装置２１，２１…へ、このカードが不正であることを示す情報を送信する（Ｓ２０６）。この情報を受信した管理装置２１，２１…は、そのカードのカードＩＤを不正情報ＤＢ３１４に記憶する（Ｓ２０７）。また共通化登録受付機２３，２３…は、出力部６０４にて「従業員にご相談下さい」等のメッセージを出力し（Ｓ２０８）、プリペイドカードＣを排出せずに装置内に取り込む（Ｓ２０９）。またステップＳ２０２において不正カードではないと判別された場合（Ｓ２０２でＮＯ）、ステップＳ２０１において読み取ったカード情報を参照し、残高が有るか否かを判別する（Ｓ２０３）。
【００７６】
ステップＳ２０３において残高がないと判別された場合（Ｓ２０３でＮＯ）、共通化登録受付機２３，２３…は、出力部６０４にて「使用済です」等のメッセージを出力し（Ｓ２１０）、プリペイドカードＣを排出せずに装置内に取り込む（Ｓ２０９）。ここで、例えば遊技管理システムが会員制を採用しており、会員は会員用のプリペイドカードＣを繰り返し使用することができるような場合、会員にプリペイドカードＣの再利用を促すべく、プリペイドカードＣを排出してもよい。
【００７７】
ステップＳ２０３において残高が有ると判別された場合（Ｓ２０３でＹＥＳ）、共通化登録受付機２３，２３…の入力部６０３にて、利用者から共通化登録，共通化受付又は共通化取消しの何れかの要求を受け付ける（Ｓ２０４）。以下、受け付けた要求毎に分けて説明する。
【００７８】
図９は、ステップＳ２０４において共通化登録の要求を受け付けた場合（Ｓ２０４で登録）の、本発明の遊技管理システムの処理手順を示すフローチャートである。
ステップＳ２０１において読み取ったカード情報を参照し、遊技を行った遊技店２を示す使用店ＩＤが共通化登録受付機２３，２３…の設置店であるか否かを判別する（Ｓ３０１）。ここで使用店ＩＤがカード共通化登録受付機２３，２３…の設置店ではないと判別された場合（Ｓ３０１でＮＯ）、共通化登録受付機２３，２３…は、出力部６０４にて「○○○店のカードです」等のメッセージを出力し（Ｓ３０５）、プリペイドカードＣを排出する（Ｓ３０６）。また使用店ＩＤが前記設置店であると判別された場合（Ｓ３０１でＹＥＳ）、共通化登録受付機２３，２３…は、出力部６０４にて「共通化登録しますか? 」等のメッセージを出力する（Ｓ３０２）。ここで利用者が共通化登録をキャンセルした場合（Ｓ３０３でＹＥＳ）、プリペイドカードＣを排出する（Ｓ３０６）。またキャンセルされなかった場合（Ｓ３０３でＮＯ）、後述する共通化登録処理を行う（Ｓ３０４）。
【００７９】
図１０は、ステップＳ２０４において共通化受付の要求を受け付けた場合（Ｓ２０４で受付）の、本発明の遊技管理システムの処理手順を示すフローチャートである。
ステップＳ２０１において読み取ったカード情報を参照し、共通化登録済みであるか否か、すなわちプリペイドカードＣが共通化登録カードであるか否かを判別する（Ｓ４０１）。ここで共通化登録カードではない場合（Ｓ４０１でＮＯ）、共通化登録受付機２３，２３…は、出力部６０４にて「共通化登録がされていません」等のメッセージを出力し（Ｓ４０６）、プリペイドカードＣを排出する（Ｓ４０８）。また共通化登録カードである場合（Ｓ４０１でＹＥＳ）、登録年月日が当日であるか否かを判別する（Ｓ４０２）。
【００８０】
ステップＳ４０２において登録年月日が当日であると判別された場合（Ｓ４０２でＹＥＳ）、共通化登録受付機２３，２３…は、出力部６０４にて「翌日以降受付可能です」等のメッセージを出力し（Ｓ４０７）、プリペイドカードＣを排出する（Ｓ４０８）。また登録年月日が当日ではない場合（Ｓ４０２でＮＯ）、共通化登録受付機２３，２３…は、出力部６０４にて「共通化受付しますか? 」等のメッセージを出力する（Ｓ４０３）。ここで利用者が共通化受付をキャンセルした場合（Ｓ４０４でＹＥＳ）、プリペイドカードＣを排出する（Ｓ４０８）。またキャンセルされなかった場合（Ｓ４０４でＮＯ）、後述する共通化受付処理を行う（Ｓ４０５）。
【００８１】
図１１は、ステップＳ２０４において共通化取消しの要求を受け付けた場合（Ｓ２０４で取消し）の、本発明の遊技管理システムの処理手順を示すフローチャートである。
ステップＳ２０１において読み取ったカード情報を参照し、共通化登録済みであるか否か、すなわちプリペイドカードＣが共通化登録カードであるか否かを判別する（Ｓ５０１）。ここで共通化登録カードではない場合（Ｓ５０１でＮＯ）、共通化登録受付機２３，２３…は、出力部６０４にて「共通化登録がされていません」等のメッセージを出力し（Ｓ５０７）、プリペイドカードＣを排出する（Ｓ５１０）。また共通化登録カードである場合（Ｓ５０１でＹＥＳ）、登録年月日が当日であるか否かを判別する（Ｓ５０２）。
【００８２】
ここで登録年月日が当日ではないと判別された場合（Ｓ５０２でＮＯ）、共通化登録受付機２３，２３…は、出力部６０４にて「共通化受付が可能です」等のメッセージを出力し（Ｓ５０８）、プリペイドカードＣを排出する（Ｓ５１０）。また登録年月日が当日である場合（Ｓ５０２でＹＥＳ）、登録店ＩＤが共通化登録受付機２３，２３…の設置店であるか否かを判別する（Ｓ５０３）。
【００８３】
ステップＳ５０３において登録店ＩＤが共通化登録受付機２３，２３…の設置店ではないと判別された場合（Ｓ５０３でＮＯ）、共通化登録受付機２３，２３…は、出力部６０４にて「○○○店で取消し可能です」等のメッセージを出力し（Ｓ５０９）、プリペイドカードＣを排出する（Ｓ５１０）。またステップＳ５０３において登録店ＩＤが前記設置店である場合（Ｓ５０３でＹＥＳ）、共通化登録受付機２３，２３…は、出力部６０４にて「共通化取消ししますか? 」等のメッセージを出力する（Ｓ５０４）。ここで利用者が共通化受付をキャンセルした場合（Ｓ５０５でＹＥＳ）、プリペイドカードＣを排出する（Ｓ５１０）。またキャンセルされなかった場合（Ｓ５０５でＮＯ）、後述する共通化取消し処理を行う（Ｓ５０６）。
【００８４】
次に、ステップＳ３０４の共通化登録処理，ステップＳ４０５の共通化受付処理及びステップＳ５０６の共通化取消し処理について、図１２乃至図１７を参照して夫々説明する。
【００８５】
（共通化登録処理）
図１２及び図１３は、本発明の遊技管理システムの共通化登録処理の処理手順を示すフローチャートである。なおこれらの処理は、２本の縦破線により３つの領域に分かれており、左側の領域の処理は共通化登録受付機２３，２３…が行う処理を、中央の領域の処理は管理装置２１，２１…が行う処理を、右側の領域の処理は中央管理装置１１が行う処理を夫々示している。
【００８６】
共通化登録受付機２３，２３…は、ステップＳ２０１で読み取ったカード情報を管理装置２１，２１…へ送信する（Ｓ６０１）。管理装置２１，２１…は、受信したカード情報の中からカードＩＤを参照し、そのカードＩＤをキーとして不正情報ＤＢ３１４を検索する（Ｓ６０２）。この検索に成功した場合、このプリペイドカードＣを不正なものとみなして、共通化登録受付機２３，２３…へそのことを示す情報を送信し（Ｓ６１２）、その情報を受信した共通化登録受付機２３，２３…は出力部６０４にて「従業員にご相談下さい」等のメッセージを出力した後（Ｓ６１３）、そのプリペイドカードＣを装置内に取り込む（Ｓ６１４）。
【００８７】
ステップＳ６０２の検索に失敗した場合（Ｓ６０２で失敗）は、前記カードＩＤをキーとして使用中ＤＢ３１０を検索する（Ｓ６０３）。ここでこの検索に失敗した場合（Ｓ６０３で失敗）、このカードを不正なものとみなして、そのカードＩＤを不正情報ＤＢ３１４に記憶する（Ｓ６１１）。以下、前述したステップＳ６１２及びＳ６１３を実行し、そのプリペイドカードＣを装置内に取り込む（Ｓ６１４）。
【００８８】
またステップＳ６０３の検索に成功した場合（Ｓ６０３で成功）、管理装置２１，２１…は、共通化登録受付機２３，２３…から受信したカード情報と使用中ＤＢ３１０から検索されたカード情報とを比較する（Ｓ６０４）。残高が異なる等、これらのカード情報の内容が一致しない場合（Ｓ６０４で不一致）、このプリペイドカードＣを不正なものとみなして、そのプリペイドカードＣのカードＩＤを不正情報ＤＢ３１４に記憶する（Ｓ６１１）。以下、前述したステップＳ６１２及びＳ６１３を実行し、そのプリペイドカードＣを装置内に取り込む（Ｓ６１４）。
【００８９】
ステップＳ６０４の比較において、カード情報の内容が一致した場合（Ｓ６０４で一致）、使用中ＤＢ３１０から検索されたカード情報中に、共通化登録を行ったことを示す共通化登録済みフラグをセットする（Ｓ６０５）。また管理装置２１，２１…は、使用中ＤＢ３１０から検索されたカード情報のうちカードＩＤ及び残高等の特定の情報を、共通化登録ＤＢ３１１に記憶する（Ｓ６０６）。そして管理装置２１，２１…は共通化登録受付機２３，２３…へ共通化登録が行われたことを示す情報を送信し（Ｓ６０７）、この情報を受信した共通化登録受付機２３，２３…は挿入されているプリペイドカードＣの記録領域１００に登録年月日及び登録店ＩＤを書き込み、使用店ＩＤを共通化登録ＩＤに更新する（Ｓ６０８）。そして出力部６０４にて「共通化登録が完了しました」等のメッセージを出力し（Ｓ６０９）、そのプリペイドカードＣを排出する（Ｓ６１０）。
【００９０】
遊技店２，２…の営業終了後、管理装置２１，２１…は、共通化登録ＤＢ３１１に記憶されているカード情報を中央管理装置１１へ送信する（Ｓ６１５）。中央管理装置１１は、受信したカード情報を共通化登録ＤＢ２１０に記憶する（Ｓ６１６）。
【００９１】
（共通化受付処理）
図１４及び図１５は、本発明の遊技管理システムの共通化受付処理の処理手順を示すフローチャートである。なおこれらの処理は、２本の縦破線により３つの領域に分かれており、左側の領域の処理は共通化登録受付機２３，２３…が行う処理を、中央の領域の処理は管理装置２１，２１…が行う処理を、右側の領域の処理は中央管理装置１１が行う処理を夫々示している。
【００９２】
共通化登録受付機２３，２３…は、ステップＳ２０１で読み取ったカード情報を管理装置２１，２１…へ送信する（Ｓ７０１）。管理装置２１，２１…は、受信したカード情報の中からカードＩＤを参照し、そのカードＩＤをキーとして不正情報ＤＢ３１４を検索する（Ｓ７０２）。この検索に成功した場合（Ｓ７０２で成功）、このカードが不正であることを示す情報を共通化登録受付機２３，２３…へ送信する（Ｓ７１７）。この情報を受信した共通化登録受付機２３，２３…は、出力部６０４にて「従業員にご相談下さい」等のメッセージを出力した後（Ｓ７１８）、そのプリペイドカードＣを排出せず装置内に取り込む（Ｓ７１９）。
【００９３】
一方、ステップＳ７０２の検索に失敗した場合（Ｓ７０２で失敗）は、そのカード情報を中央管理装置１１へ送信する（Ｓ７０３）。中央管理装置１１は、管理装置２１，２１…から受信したカード情報の中からカードＩＤを参照し、そのカードＩＤをキーとして共通化登録ＤＢ２１０を検索する（Ｓ７０４）。この検索に失敗した場合（Ｓ７０４で失敗）、中央管理装置１１はこのカードを不正なものとみなし、そのことを示す情報を管理装置２１，２１…へ送信する（Ｓ７１２）。この情報を受信した管理装置２１，２１…は、このプリペイドカードＣのカードＩＤを不正情報ＤＢ３１４に記憶し（Ｓ７１３）、このカードが不正であることを示す情報を共通化登録受付機２３，２３…へ送信する（Ｓ７１４）。この情報を受信した共通化登録受付機２３，２３…は、出力部６０４にて「従業員にご相談下さい」等のメッセージを出力した後（Ｓ７１５）、そのプリペイドカードＣを排出せず装置内に取り込む（Ｓ７１６）。
【００９４】
またステップＳ７０４の検索に成功した場合（Ｓ７０４で成功）、中央管理装置１１は、管理装置２１，２１…から受信したカード情報と共通化登録ＤＢ２１０から検索されたカード情報とを比較する（Ｓ７０５）。残高が異なる又は使用店ＩＤが異なる等、これらのカード情報の内容が一致しない場合（Ｓ７０５で不一致）、中央管理装置１１はこのカードを不正なものとみなし、そのことを示す情報を管理装置２１，２１…へ送信する（Ｓ７１２）。この情報を受信した管理装置２１，２１…は、このプリペイドカードＣのカードＩＤを不正情報ＤＢ３１４に記憶する（Ｓ７１３）。以下、前述したステップＳ７１４及びＳ７１５を実行し、そのプリペイドカードＣは装置内に取り込まれる（Ｓ７１６）。
【００９５】
ステップＳ７０５の比較において、カード情報の内容が一致した場合（Ｓ７０５で一致）、中央管理装置１１は、共通化登録カードの受付処理が可能であることを示す情報を管理装置２１，２１…へ送信する（Ｓ７０６）。この情報を受信した管理装置２１，２１…は、その共通化登録カードのカード情報を使用中ＤＢ３１０に記憶する（Ｓ７０７）。そして管理装置２１，２１…は共通化登録受付機２３，２３…へ共通化登録カードの受付処理が行われたことを示す情報を送信する（Ｓ７０８）。この情報を受信した共通化登録受付機２３，２３…は挿入されている共通化登録カードの使用店ＩＤにその遊技店のＩＤを書き込み（Ｓ７０９）、出力部６０４にて「共通化受付が完了しました」等のメッセージを出力する（Ｓ７１０）。そしてこのプリペイドカードＣを排出する（Ｓ７１１）。
【００９６】
（共通化取消し処理）
図１６及び図１７は、本発明の遊技管理システムの共通化取消し処理の処理手順を示すフローチャートである。なおこれらの処理は、１本の縦破線により２つの領域に分かれており、左側の領域の処理は共通化登録受付機２３，２３…が行う処理を、右側の領域の処理は管理装置２１，２１…が行う処理を夫々示している。
【００９７】
共通化登録受付機２３，２３…は、ステップＳ２０１で読み取ったカード情報を管理装置２１，２１…へ送信する（Ｓ８０１）。管理装置２１，２１…は、受信したカード情報の中からカードＩＤを参照し、そのカードＩＤをキーとして不正情報ＤＢ３１４を検索する（Ｓ８０２）。この検索に成功した場合（Ｓ８０２で成功）、このカードが不正であることを示す情報を共通化登録受付機２３，２３…へ送信する（Ｓ８１４）。この情報を受信した共通化登録受付機２３，２３…は、出力部６０４にて「従業員にご相談下さい」等のメッセージを出力した後（Ｓ８１５）、そのプリペイドカードＣを排出せず装置内に取り込む（Ｓ８１６）。
【００９８】
一方、ステップＳ８０２の検索に失敗した場合（Ｓ８０２で失敗）は、同じくこのカードＩＤをキーとして共通化登録ＤＢ３１１を検索する（Ｓ８０３）。ここでこの検索に成功した場合（Ｓ８０３で成功）、共通化登録受付機２３，２３…から受信したカード情報と検索されたカード情報とを比較する（Ｓ８０４）。
【００９９】
ステップＳ８０３において検索に失敗した場合（Ｓ８０３で失敗）、及びステップＳ８０４において残高が異なる等これらのカード情報の内容が一致しない場合（Ｓ８０４で不一致）、このプリペイドカードＣを不正なものとみなして、そのカードＩＤを不正情報ＤＢ３１４に記憶する（Ｓ８１３）。以下、前述したステップＳ８１４及びＳ８１５を実行し、そのプリペイドカードＣを装置内に取り込む（Ｓ８１６）。
【０１００】
またステップＳ８０４においてカード情報の内容が一致した場合（Ｓ８０４で一致）、ステップＳ８０３で検索された情報を削除する（Ｓ８０５）。次にこのプリペイドカードＣのカードＩＤをキーとして使用中ＤＢ３１０を検索する（Ｓ８０６）。ここでこの検索に失敗した場合（Ｓ８０６で失敗）、このカードを不正なものとみなして、そのカードＩＤを不正情報ＤＢ３１４に記憶する（Ｓ８１３）。以下、前述したステップＳ８１４及びＳ８１５を実行し、そのプリペイドカードＣを装置内に取り込む（Ｓ８１６）。
【０１０１】
ステップＳ８０６の検索に成功した場合（Ｓ８０６で成功）、共通化登録受付機２３，２３…から受信したカード情報と検索されたカード情報とを比較する（Ｓ８０７）。ここでこれらのカード情報の内容が一致しない場合（Ｓ８０７で不一致）、このカードを不正なものとみなして、そのカードＩＤを不正情報ＤＢ３１４に記憶する（Ｓ８１３）。以下、前述したステップＳ８１４及びＳ８１５を実行し、そのプリペイドカードＣを装置内に取り込む（Ｓ８１６）。
【０１０２】
またステップＳ８０７においてカード情報の内容が一致した場合（Ｓ８０７で一致）、ステップＳ８０６にて検索された情報中にある共通化登録済みフラグをクリアし（Ｓ８０８）、共通化取消し処理が行われたことを示す情報を共通化登録受付機２３，２３…へ送信する（Ｓ８０９）。この情報を受信した共通化登録受付機２３，２３…は挿入されているプリペイドカードＣの使用店ＩＤにその共通化登録受付機２３，２３…の設置店のＩＤを書き込み（Ｓ８１０）、出力部６０４にて「共通化取消が完了しました」等のメッセージを出力する（Ｓ８１１）。そしてこのプリペイドカードＣを排出する（Ｓ８１２）。
【０１０３】
以上説明したように、共通化登録処理の際、共通化登録済みフラグをセットする（Ｓ５０５）のみで使用中ＤＢ３１０からカード情報を削除しないため、共通化取消し処理を行うことによって、共通化登録処理を行った当日中であってもプリペイドカードＣを使用することができる。また翌日以降では、共通化受付処理を行うことによって、プリペイドカードＣを使用することができる。
【０１０４】
次に、管理装置２１，２１…が有する不正情報ＤＢ３１４に記憶されているプリペイドカードＣの使用履歴を取得する場合の、本発明の遊技管理システムの動作について説明する。
【０１０５】
図１８は、本発明の遊技管理システムの、不正なプリペイドカードＣの使用履歴の取得手順を示すフローチャートである。なおこれらの処理は、２本の縦破線により３つの領域に分かれており、左側の領域の処理は管理装置２１，２１…の中の１台の管理装置Ａが行う処理を、中央の領域の処理は中央管理装置１１が行う処理を、右側の領域の処理は管理装置Ａ以外の管理装置２１，２１…（以下、管理装置Ｂという）が行う処理を夫々示している。
【０１０６】
管理装置２１，２１…は、共通化登録受付機２３，２３…から受信したカード情報と使用中ＤＢ３１０に記憶しているカード情報とが一致しない場合、又は中央管理装置１１からカードが不正であることを示す情報を受信した場合等、プリペイドカードＣが不正であるとみなされたときは、前述したようにそのプリペイドカードＣのカードＩＤを不正情報ＤＢ３１４に記憶する。管理装置Ａは、この不正情報ＤＢ３１４に記憶されたカードＩＤを中央管理装置１１へ送信する（Ｓ９０１）。
【０１０７】
管理装置ＡからカードＩＤを受信した中央管理装置１１は、中央管理装置１１に接続されている各管理装置Ｂへ、そのカードＩＤを送信する（Ｓ９０２）。中央管理装置１１からカードＩＤを受信した各管理装置Ｂは、そのカードＩＤをキーとして使用中ＤＢ３１０を検索する（Ｓ９０３）。ここでこの検索に失敗した場合（Ｓ９０３で失敗）、何もせずに終了する。またステップＳ９０３の検索に成功した場合（Ｓ９０３で成功）、その検索された情報を中央管理装置１１へ送信する（Ｓ９０４）。中央管理装置１１はこの検索された情報を各管理装置Ｂから受信する（Ｓ９０５）。
【０１０８】
このようにして、中央管理装置１１は、不正カードとみなされたプリペイドカードＣがどの遊技店２，２…で発券され、どの遊技店２，２…でどのくらいの額が消費されたか等の発券及び消費に関する情報、及びどの遊技店２，２…にて共通化登録が行われたか等の使用履歴を取得することができる。その結果、この使用履歴を用いてトレース作業を行うことが可能となり、その記録媒体がなぜ不正とされたのか等の原因の解明に役立てることができる。
【０１０９】
以上説明したように、共通化登録処理の際、使用中ＤＢ３１０からカード情報を削除しないため、発券した遊技店２，２…及び共通化登録受付処理を行った遊技店２，２…においては使用中ＤＢ３１０にそのカード情報が記憶されているので、使用履歴を取得することができ、トレース作業が可能となる。
【０１１０】
また、利用者からプリペイドカードＣが使用できない等のクレームがあった場合も、上述した処理を行うことによって、使用が不可能になったことの原因の解明を行うことができる。
【０１１１】
なお、本実施の形態では、記録媒体としてＩＣカード等のプリペイドカードを例として説明したが、その他の記録媒体（例えば、スマートメディア，メモリスティック及びコンパクトフラッシュ等）でもよい。
【０１１２】
【発明の効果】
以上のように、請求項１記載の遊技管理システムによれば、管理手段が、各遊技店において使用することが可能な記録媒体に関する情報及び共通化登録が行われた記録媒体に関する情報を記憶しており、これらの情報に基づいて各記録媒体に記録された使用店ＩＤの書き換えを行うことによって、記録媒体を複数の遊技店にて共通して使用することができる。
【０１１３】
また請求項２記載の遊技管理システムによれば、共通化登録処理の際に管理手段がカード情報を削除しないため、共通化取消し処理を行うことによって、共通化登録処理を行った当日中であってもプリペイドカードを使用することができる。
【０１１４】
また実施例の遊技管理システムによれば、記録媒体が使用不可能になった場合、管理手段が、各遊技店において使用することが可能な記録媒体に関する情報から前記使用不可能になった記録媒体に関する情報を抽出することによって、記録媒体の使用履歴を取得することが可能となり、その結果トレース作業を行うことができる。
【０１１５】
また請求項３記載の遊技管理システムによれば、各遊技店毎に設置された各管理装置が、その管理装置の設置店において使用することが可能な記録媒体に関する情報を記憶し、また中央管理装置が、共通化登録が行われた記録媒体に関する情報を記憶しており、これらの情報に基づいて各記録媒体に記録された使用店ＩＤの書き換えを行うことによって、記録媒体を複数の遊技店にて共通して使用することができる。
【０１１６】
また請求項４記載の遊技管理システム及び請求項６記載の管理装置によれば、共通化登録処理の際に管理装置がカード情報を削除しないため、共通化取消し処理を行うことによって、共通化登録処理を行った当日中であってもその管理装置の設置店にてプリペイドカードを使用することができる。
【０１１７】
さらに請求項５記載の遊技管理システムによれば、記録媒体が使用不可能になった場合、各遊技店毎に備えられた管理装置が、その設置店において使用することが可能な記録媒体に関する情報から前記使用不可能になった記録媒体に関する情報を抽出し、抽出された情報を中央管理装置が収集することによって、記録媒体の使用履歴を取得することが可能となり、その結果トレース作業を行うことができる等、本発明は優れた効果を奏する。
【図面の簡単な説明】
【図１】本発明の遊技管理システムの構成を示すブロック図である。
【図２】本発明の中央管理装置の構成を示すブロック図である。
【図３】本発明の管理装置の構成を示すブロック図である。
【図４】本発明の遊技管理システムに用いられる発券機の構成を示すブロック図である。
【図５】本発明の遊技管理システムに用いられる台間機の構成を示すブロック図である。
【図６】本発明の共通化登録受付機の構成を示すブロック図である。
【図７】本発明の遊技管理システムの発券処理の処理手順を示すフローチャートである。
【図８】本発明の遊技管理システムの処理手順を示すフローチャートである。
【図９】共通化登録の要求を受け付けた場合の、本発明の遊技管理システムの処理手順を示すフローチャートである。
【図１０】共通化受付の要求を受け付けた場合の、本発明の遊技管理システムの処理手順を示すフローチャートである。
【図１１】共通化取消しの要求を受け付けた場合の、本発明の遊技管理システムの処理手順を示すフローチャートである。
【図１２】本発明の遊技管理システムの共通化登録処理の処理手順を示すフローチャートである。
【図１３】本発明の遊技管理システムの共通化登録処理の処理手順を示すフローチャートである。
【図１４】本発明の遊技管理システムの共通化受付処理の処理手順を示すフローチャートである。
【図１５】本発明の遊技管理システムの共通化受付処理の処理手順を示すフローチャートである。
【図１６】本発明の遊技管理システムの共通化取消し処理の処理手順を示すフローチャートである。
【図１７】本発明の遊技管理システムの共通化取消し処理の処理手順を示すフローチャートである。
【図１８】本発明の遊技管理システムの、不正なプリペイドカードＣの使用履歴の取得手順を示すフローチャートである。
【符号の説明】
１  カード発行会社
２  遊技店
１１  中央管理装置
２１  管理装置
２２  発券機
２３  共通化登録受付機
２４  遊技機
２５  台間機
【図１】
0003730458.tif 000002
【図２】
0003730458.tif 000003
【図３】
0003730458.tif 000004
【図４】
0003730458.tif 000005
【図５】
0003730458.tif 000006
【図６】
0003730458.tif 000007
【図７】
0003730458.tif 000008
【図８】
0003730458.tif 000009
【図９】
0003730458.tif 000010
【図１０】
0003730458.tif 000011
【図１１】
0003730458.tif 000012
【図１２】
0003730458.tif 000013
【図１３】
0003730458.tif 000014
【図１４】
0003730458.tif 000015
【図１５】
0003730458.tif 000016
【図１６】
0003730458.tif 000017
【図１７】
0003730458.tif 000018
【図１８】
0003730458.tif 000019